(57)【特許請求の範囲】
【請求項１】
配電系統の状態を管理し、前記配電系統に関する配電系統情報を送信する配電自動化システムと、
前記配電自動化システムから前記配電系統情報を受信し、前記配電系統の区間に停電が発生した場合に、前記区間に繋がっている分散型電源に固有の分散型電源番号を含む転送遮断信号を送信する親局と、
分散型電源に併設され、前記親局から転送遮断信号を受信した場合に、当該分散型電源を前記配電系統から解列させる子局と、
が通信可能に構成され、
前記配電自動化システムは、新たに設置された分散型電源の分散型電源番号及び当該分散型電源の設置された住所を取得し、該取得した前記分散型電源番号及び前記住所を記憶部に設定するとともに、当該分散型電源番号を前記親局に送信する手段を有し、
前記親局は、前記配電自動化システムから前記分散型電源番号を受信し、該受信した前記分散型電源番号を記憶部に設定するとともに、当該分散型電源番号を前記子局に送信する手段を有し、
前記子局は、併設された分散型電源の分散型電源番号をメーカから出荷される時に記憶し、前記親局から前記分散型電源番号を受信した場合に、該受信した前記分散型電源番号と、予め記憶している前記分散型電源番号とを比較し、両者が一致したときに、通信動作を開始する
ことを特徴とする分散型電源用転送遮断システム。
【請求項２】
配電系統の状態を管理し、前記配電系統に関する配電系統情報を送信する配電自動化システムと、
前記配電自動化システムから前記配電系統情報を受信し、前記配電系統の区間に停電が発生した場合に、前記区間に繋がっている分散型電源に固有の分散型電源番号を含む転送遮断信号を送信する親局と、
前記親局から前記転送遮断信号を受信し、配下に送信する中継局と、
分散型電源に併設され、前記中継局から転送遮断信号を受信した場合に、前記分散型電源を前記配電系統から解列させる子局と、
が通信可能に構成され、
前記配電自動化システムは、新たに設置された分散型電源の分散型電源番号及び当該分散型電源の設置された住所を取得し、該取得した前記分散型電源番号及び前記住所を記憶部に設定するとともに、当該分散型電源番号を前記親局に送信する手段を有し、
前記親局は、前記配電自動化システムから前記分散型電源番号を受信し、該受信した前記分散型電源番号を記憶部に設定するとともに、当該分散型電源番号を前記中継局に送信する手段を有し、
前記中継局は、前記親局から前記分散型電源番号を受信し、該受信した前記分散型電源番号を記憶部に設定するとともに、当該分散型電源番号を前記子局に送信する手段を有し、
前記子局は、併設された分散型電源の分散型電源番号をメーカから出荷される時に記憶し、前記前記中継局から前記分散型電源番号を受信した場合に、該受信した前記分散型電源番号と、予め記憶している前記分散型電源番号とを比較し、両者が一致したときに、通信動作を開始する
ことを特徴とする分散型電源用転送遮断システム。
【請求項３】
請求項１に記載の分散型電源用転送遮断システムであって、
新たに設置された分散型電源の分散型電源番号の前記親局から前記子局への送信は、ヘルスチェックのデータに当該分散型電源番号を載せて行われる
ことを特徴とする分散型電源用転送遮断システム。
【請求項４】
請求項２に記載の分散型電源用転送遮断システムであって、
新たに設置された分散型電源の分散型電源番号の前記親局から前記中継局への送信又は前記中継局から前記子局への送信は、ヘルスチェックのデータに当該分散型電源番号を載せて行われる
ことを特徴とする分散型電源用転送遮断システム。
【発明の詳細な説明】
【技術分野】
【０００１】
本発明は、分散型電源用転送遮断システムに関する。
【背景技術】
【０００２】
分散型電源用転送遮断システムにおいて、分散型電源を新たに設置して使用するには、当該分散型電源に固有な番号（分散型電源番号）を付与する必要がある。例えば、需要家宅に分散型電源を設置した際に、施工業者又は需要家が番号を設定する方法が考えられる。なお、特許文献１には、分散型電源用転送遮断システムの一例が開示されている。
【特許文献１】特開２００５−１９８４４６号公報
【発明の開示】
【発明が解決しようとする課題】
【０００３】
しかしながら、分散型電源用転送遮断システムは、配電自動化システム、転送遮断信号伝送装置、転送遮断信号中継装置及び転送遮断装置を備えていて、配電系統に停電等の事故が発生した場合に、配電自動化システムから各装置を経由して転送遮断の指示を転送遮断装置に与えることになる。従って、分散型電源が新設され、稼動を開始するためには、転送遮断装置だけでなく、他の各装置も含めて、新設された分散型電源の番号を設定しておく必要がある。そうでなければ、停電等が発生した場合に、該当する分散型電源が解列されず、事故の影響が拡大するおそれが生じる。
【０００４】
本発明は、上記課題を鑑みてなされたものであり、その主たる目的は、分散型電源用転送遮断システムに新設された分散型電源の番号を容易に設定することにある。
【課題を解決するための手段】
【０００５】
上記課題を解決するために、本発明は、分散型電源用転送遮断システムであって、配電系統の状態を管理し、前記配電系統に関する配電系統情報を送信する配電自動化システムと、前記配電自動化システムから前記配電系統情報を受信し、前記配電系統の区間に停電が発生した場合に、前記区間に繋がっている分散型電源に固有の分散型電源番号を含む転送遮断信号を送信する親局と、分散型電源に併設され、前記親局から転送遮断信号を受信した場合に、当該分散型電源を前記配電系統から解列させる子局と、が通信可能に構成され、前記配電自動化システムが、新たに設置された分散型電源の分散型電源番号及び当該分散型電源の設置された住所を取得し、該取得した前記分散型電源番号及び前記住所を記憶部に設定するとともに、当該分散型電源番号を前記親局に送信する手段を有し、前記親局が、前記配電自動化システムから前記分散型電源番号を受信し、該受信した前記分散型電源番号を記憶部に設定するとともに、当該分散型電源番号を前記子局に送信する手段を有し、前記子局は、併設された分散型電源の分散型電源番号をメーカから出荷される時に記憶し、前記親局から前記分散型電源番号を受信した場合に、該受信した前記分散型電源番号と、予め記憶している前記分散型電源番号とを比較し、両者が一致したときに、通信動作を開始することを特徴とする。
【０００６】
この構成によれば、新たに分散型電源が設置された場合に、配電自動化システムに分散型電源番号を入力することによって、分散型電源用転送遮断システムの各局に分散型電源番号が登録される。これによれば、分散型電源番号の設定を容易に実施することができる。また、分散型電源番号をメーカ出荷時に設定するので、需要家宅で子局に設定する必要がなくなるため、需要家や施工業者の負担が軽減される。また、子局が分散型電源番号の一致を確認した上で通信動作を開始するので、分散型電源の稼動開始を容易に実施することができる。
【０００７】
また、本発明は、分散型電源用転送遮断システムであって、配電系統の状態を管理し、前記配電系統に関する配電系統情報を送信する配電自動化システムと、前記配電自動化システムから前記配電系統情報を受信し、前記配電系統の区間に停電が発生した場合に、前記区間に繋がっている分散型電源に固有の分散型電源番号を含む転送遮断信号を送信する親局と、前記親局から前記転送遮断信号を受信し、配下に送信する中継局と、分散型電源に併設され、前記中継局から転送遮断信号を受信した場合に、前記分散型電源を前記配電系統から解列させる子局と、が通信可能に構成され、前記配電自動化システムが、新たに設置された分散型電源の分散型電源番号及び当該分散型電源の設置された住所を取得し、該取得した前記分散型電源番号及び前記住所を記憶部に設定するとともに、当該分散型電源番号を前記親局に送信する手段を有し、前記親局が、前記配電自動化システムから前記分散型電源番号を受信し、該受信した前記分散型電源番号を記憶部に設定するとともに、当該分散型電源番号を前記中継局に送信する手段を有し、前記子局は、併設された分散型電源の分散型電源番号をメーカから出荷される時に記憶し、前記前記中継局から前記分散型電源番号を受信した場合に、該受信した前記分散型電源番号と、予め記憶している前記分散型電源番号とを比較し、両者が一致したときに、通信動作を開始することを特徴とする。
【０００８】
この構成によれば、新たに分散型電源が設置された場合に、配電自動化システムに分散型電源番号を入力することによって、分散型電源用転送遮断システムの各局に分散型電源番号が登録される。これによれば、分散型電源番号の設定を容易に実施することができる。また、分散型電源番号をメーカ出荷時に設定するので、需要家宅で子局に設定する必要がなくなるため、需要家や施工業者の負担が軽減される。また、子局が分散型電源番号の一致を確認した上で通信動作を開始するので、分散型電源の稼動開始を容易に実施することができる。
【００１０】
また、本発明において、新たに設置された分散型電源の分散型電源番号の前記親局から前記中継局への送信、前記中継局から前記子局への送信又は前記親局から前記子局への送信が、ヘルスチェックのデータに当該分散型電源番号を載せて行われることとしてもよい。
この構成によれば、既存の通信を用いることで新たな通信を追加する必要がないので、通信路におけるトラフィックの増加を抑制することができる。
【００１１】
その他、本願が開示する課題及びその解決方法は、発明を実施するための最良の形態の欄、及び図面により明らかにされる。
【発明の効果】
【００１２】
本発明によれば、分散型電源用転送遮断システムに新設された分散型電源の番号を容易に設定することができる。
【発明を実施するための最良の形態】
【００１３】
以下、図面を参照しながら、本発明を実施するための最良の形態を説明する。本発明の実施の形態に係る分散型電源用転送遮断システムでは、予め分散型電源番号が設定された転送遮断装置（子局）と分散型電源が新たに設置された場合に、当該分散型電源番号が、配電自動化システムから転送遮断信号伝送装置（親局）及び転送遮断信号中継装置（中継局）を経由して、転送遮断装置（子局）に転送される。そして、転送遮断装置（子局）は、転送を受けた分散型電源番号と、予め設定された分散型電源番号とを比較し、両者が一致していれば、通信動作を開始する。これは、２つの分散型電源番号が一致したことが、新設した子局及び分散型電源に固有の分散型電源番号がシステムに登録されたことを意味するからである。なお、分散型電源番号は、当該分散型電源を配電系統から解列させるために、転送遮断信号を送信する際に必要になる情報である。
【００１４】
≪システムの構成と概要≫
図１は、分散型電源用転送遮断システム１の構成を示す図である。分散型電源用転送遮断システム１は、配電自動化システム２、転送遮断信号伝送装置（以下、「親局」という）３、転送遮断信号中継装置（以下、「中継局」という）４、転送遮断装置（以下、「子局」という）５及び分散型電源６を備える。中継局４は電柱上に設けられ、子局５は電力需要家の宅内に設けられ、それらは引込み線を介して通信可能に接続される。
【００１５】
配電自動化システム２は、配電系統の状態を管理し、配電系統情報をリアルタイムに親局３に送信する。親局３は、予め配電系統情報を取得し、記憶しておく。そして、配電系統の事故が発生した場合に、ＣＢ（Circuit Breaker：遮断器）・Ｒｙ（Relay：保護リレー）情報を取得し、取得したＣＢ・Ｒｙ情報及び記憶した配電系統情報に基づいて、停電した配電線の区間に接続された分散型電源６を特定し、特定した分散型電源６の番号を含む転送遮断信号を、ＩＰ網７を介して自己の配下にある中継局４に送出する。中継局４は、配下にある分散型電源６の番号を記憶している。そして、親局３からＩＰ網７を介して転送遮断信号を受信すると、当該転送遮断信号に含まれる遮断対象の分散型電源６の番号に、当該中継局４の配下の分散型電源６の番号が含まれている場合には、引込み線を用いたＰＬＣ（Power Line Communication：電力線搬送通信）により配下の子局５へ転送遮断信号を送信する。
【００１６】
子局５は、引込み線上の低速のＰＬＣにより中継局４から転送遮断信号を受信し、開閉器により分散型電源６を配電系統から解列させる。分散型電源６は、需要家宅に設置された、例えば、太陽光発電や風力発電等の自家発電電源であり、配電系統に接続される。その配電系統で事故が発生した場合には、分散型電源６が単独運転状態となることにより事故が拡大することが懸念される。その対策として転送遮断により分散型電源６を配電系統から切り離すことが有効である。具体的には、親局３から中継局４を経由した転送遮断信号に応じて、子局５が開閉器により遮断することによって、分散型電源６が配電系統から切り離される。なお、子局５と、分散型電源６とは、一対一に対応し、一体化したものである。
【００１７】
図２は、配電自動化システム２の構成を示す図である。配電自動化システム２は、通信部２１、表示部２２、入力部２３、処理部２４及び記憶部２５を備える。通信部２１は、通信線を介して親局３と通信を行う部分であり、ＮＩＣ（Network Interface Card）等によって実現される。表示部２２は、処理部２４からの指示によりデータを表示する部分であり、例えば、液晶ディスプレイ（ＬＣＤ：Liquid Crystal Display）等によって実現される。入力部２３は、オペレータがデータを入力する部分であり、キーボードやマウス等によって実現される。処理部２４は、各部間のデータの受け渡しを行うととともに、配電自動化システム２全体の制御を行うものであり、ＣＰＵ（Central Processing Unit）が所定のメモリに格納されたプログラムを実行することによって実現される。記憶部２５は、処理部２４からデータを記憶したり、記憶したデータを読み出したりするものであり、フラッシュメモリやハードディスク装置等の不揮発性記憶装置によって実現される。
【００１８】
図３は、転送遮断信号伝送装置（親局）３の構成を示す図である。親局３は、通信部３１、表示部３２、入力部３３、処理部３４及び記憶部３５を備える。通信部３１は、通信線を介して配電自動化システム２と通信を行い、一方、ＩＰ網７を介して中継局４と通信を行う部分であり、ＮＩＣ等によって実現される。表示部３２、入力部３３、処理部３４及び記憶部３５の機能は、それぞれ配電自動化システム２の表示部２２、入力部２３、処理部２４及び記憶部２５の機能と同様である。
【００１９】
図４は、転送遮断信号中継装置（中継局）４の構成を示す図である。中継局４は、通信部４１、表示部４２、入力部４３、処理部４４及び記憶部４５を備える。通信部４１は、ＩＰ網７を介して親局３と通信を行い、一方、ＰＬＣによって子局５と通信を行う部分であり、ＰＬＣモデム等によって実現される。表示部４２、入力部４３、処理部４４及び記憶部４５の機能は、それぞれ配電自動化システム２の表示部２２、入力部２３、処理部２４及び記憶部２５の機能と同様である。
【００２０】
図５は、転送遮断装置（子局）５の構成を示す図である。子局５は、通信部５１、処理部５２、記憶部５３及び開閉器５４を備える。通信部５１は、ＰＬＣによって中継局４と通信を行う部分であり、ＰＬＣモデム等によって実現される。処理部５２は、各部間のデータの受け渡しを行うととともに、子局５全体の制御を行うものであり、ＣＰＵが所定のメモリに格納されたプログラムを実行することによって実現される。記憶部５３は、処理部５２からデータを記憶したり、記憶したデータを読み出したりするものであり、フラッシュメモリやハードディスク装置等の不揮発性記憶装置によって実現される。開閉器５４は、分散型電源６に接続され、処理部５２からの指示により配電系統から分散型電源６を遮断するものである。
【００２１】
≪データの構成≫
続いて、各装置の記憶部に記憶されるデータの構成について説明する。なお、図１１に示す配電系統の構成例を適宜参照する。
【００２２】
図６は、配電自動化システム２の記憶部２５に記憶されるデータの構成を示す図である。記憶部２５のデータは、区間番号２５１、中継局番号２５２、中継局ＩＰアドレス２５３、需要家情報２５４及び分散型電源番号２５５を含む。区間番号２５１は、配電自動化システム２の管理対象となる配電系統の全区間の番号であり、区間が新たに設置された場合に、オペレータにより入力部２３から入力される。入力された区間番号２５１は、処理部２４によって記憶部２５に記憶される。区間番号２５１の一例が、図１１に示すＳ１、Ｓ２及びＳ３である。中継局番号２５２は、配電系統の区間に接続される全中継局の番号であり、区間番号２５１に対応して設定される。中継局番号２５２の一例が、図１１に示すＩ１１〜Ｉ１３、Ｉ２１〜Ｉ２３及びＩ３１〜Ｉ３３である。例えば、区間番号２５１のＳ１に対応して中継局番号２５２のＩ１１〜Ｉ１３が設定される。中継局ＩＰアドレス２５３は、中継局のＩＰアドレスである。中継局番号２５２及び中継局ＩＰアドレス２５３は、中継局が新たに設置された場合にオペレータの入力操作に伴って記憶部２５に設定される。
【００２３】
需要家情報２５４は、分散型電源を設置した需要家の氏名や住所等の個人情報である。分散型電源番号２５５は、配電自動化システム２の管理対象となる配電系統の区間に繋がる分散型電源６の番号であり、中継局番号２５２に対応して設定される。分散型電源番号２５５の一例が、図１１に示すＤ１１１〜Ｄ１１３、Ｄ１２１〜Ｄ１２３、Ｄ１３１〜Ｄ１３３等である。例えば、中継局番号２５２のＩ１１に対応して分散型電源番号２５５のＤ１１１〜Ｄ１１３が設定される。需要家情報２５４及び分散型電源番号２５５は、分散型電源が新たに設置された場合に、オペレータにより入力部２３から入力され、入力された需要家情報２５４及び分散型電源番号２５５が処理部２４によって記憶部２５に記憶される。
【００２４】
図７は、親局３の記憶部３５に記憶されるデータの構成を示す図である。記憶部３５のデータは、区間番号３５１、中継局番号３５２、親局ＩＰアドレス３５３、中継局ＩＰアドレス３５４及び分散型電源番号３５５を含む。区間番号３５１は、配電自動化システム２による管理対象となる配電系統の全区間の番号であり、処理部３４によって配電自動化システム２から通信部３１を介して取得され、記憶部３５に設定される。中継局番号３５２は、配電系統の区間に接続される全中継局の番号であり、配電自動化システム２から取得され記憶部３５に設定される。親局ＩＰアドレス３５３は、親局３のＩＰアドレスであり、親局３が新たに設置された場合にオペレータの入力操作に伴って記憶部３５に設定される。中継局ＩＰアドレス３５４は、中継局４のＩＰアドレスであり、配電自動化システム２から取得され記憶部３５に設定される。分散型電源番号３５５は、中継局４に繋がる全子局５の分散型電源６の番号であり、配電自動化システム２から取得され記憶部３５に設定される。
【００２５】
図８は、中継局４の記憶部４５に記憶されるデータの構成を示す図である。記憶部４５のデータは、中継局番号４５１、親局ＩＰアドレス４５２、中継局ＩＰアドレス４５３及び分散型電源番号４５４を含む。中継局番号４５１は、当該中継局４に固有の番号である。親局ＩＰアドレス４５２は、当該中継局４が繋がっている親局３のＩＰアドレスである。中継局ＩＰアドレス４５３は、当該中継局４のＩＰアドレスである。中継局番号４５１、親局ＩＰアドレス４５２及び中継局ＩＰアドレス４５３は、中継局４が新たに設置された場合に、処理部４４によってオペレータの入力操作に伴って入力部４３から取得され記憶部２５に設定される。分散型電源番号４５４は、当該中継局４に繋がる全子局５の分散型電源６の番号であり、処理部４４によって親局３から通信部４１を介して取得され記憶部４５に設定される。
【００２６】
図９は、子局５の記憶部５３に記憶されるデータの構成を示す図である。記憶部５３のデータは、分散型電源番号５３１を含む。分散型電源番号５３１は、子局５に個別に設定される番号であるが、子局５と分散型電源６とは１対１に対応するので、結果的には分散型電源６に固有の番号となる。分散型電源番号５３１は、分散型電源６がメーカから出荷される時に設定される。
【００２７】
≪システムの処理≫
図１０は、分散型電源６が新たに設置された場合の分散型電源用転送遮断システム１の処理を示すフローチャートである。
【００２８】
ここで、分散型電源番号は、メーカ出荷時に子局５と分散型電源６の組合せに対して個別に設定され、詳細には子局５の記憶部５３に予め格納される。そして、子局５及び分散型電源６が新たに需要家宅に併設された場合に、施工業者又は需要家から葉書等によって、当該子局５に設定された分散型電源番号及び氏名、住所等の需要家情報が電力会社に通知される。電力会社のオペレータは、通知された分散型電源番号及び需要家情報を配電自動化システム２に入力する。
【００２９】
続いて、図１０及び図１１を参照しながら、分散型電源６が新たに設置された場合の分散型電源用転送遮断システム１の処理について説明する。
【００３０】
配電自動化システム２では、処理部２４が、オペレータにより入力部２３から入力された分散型電源番号（例えば、図１１のＤ１１３）及び需要家情報を取得し、両者を対応付けて記憶部２５に設定する（Ｓ１００１）。そして、通信部２１から通信線を介して、中継局番号及び分散型電源番号（例えば、図１１のＩ１１及びＤ１１３）を親局３に送信する（Ｓ１００２）。なお、オペレータが、配電自動化システム２の表示部２２に表示された配電系統図（図１１参照）に対して、分散型電源６を設置した位置及び順番を指定すると、区間番号及び中継局番号が特定される。その他の方法として、需要家情報に含まれる住所を管轄する区間及び中継局の番号を特定するようにしてもよい。
【００３１】
親局３では、通信部３１が配電自動化システム２から中継局番号及び分散型電源番号を受信し、処理部３４が当該中継局番号に対応付けて当該分散型電源番号を記憶部３５に設定する（Ｓ１００３）。そして、処理部３４が、通信部３１からＩＰ網７を介して中継局４に分散型電源番号を送信する（Ｓ１００４）。この親局３から中継局４への通知は、中継局ＩＰアドレス３５４を送信先とし、相手側の機器が正常に動作しているか又は故障しているかを確認するためのヘルスチェックのデータに分散型電源番号を載せることによって行われる。これによれば、既存の通信を用いることで新たな通信を追加する必要がないので、ＩＰ網７におけるトラフィックの増加を抑制することができる。
【００３２】
中継局４では、通信部４１が親局３から分散型電源番号を受信し、処理部４４が当該分散型電源番号を記憶部４５に設定する（Ｓ１００５）。そして、分散型電源番号を、通信部４１からＰＬＣにより子局５に送信する（Ｓ１００６）。この中継局４から子局５への通知は、ヘルスチェックのデータに分散型電源番号を載せることによって行われる。これによれば、既存の通信を用いることで新たな通信を追加する必要がないので、ネットワークにおけるトラフィックの増加を抑制することができる。
【００３３】
子局５では、処理部５２が、受信した分散型電源番号と、予め設定されている分散型電源とを比較する（Ｓ１００８）。両者が一致した場合には（Ｓ１００８のＹ）、中継局４との通信動作を開始する（Ｓ１００９）。これにより、新設の分散型電源６が稼動を開始することになる。両者が一致しなかった場合には（Ｓ１００８のＮ）、通信動作の開始をスキップする。
【００３４】
以上本発明の実施の形態について説明したが、図１に示す分散型電源用転送遮断システム１の各装置を機能させるために、処理部（ＣＰＵ）で実行されるプログラムをコンピュータにより読み取り可能な記録媒体に記録し、その記録したプログラムをコンピュータに読み込ませ、実行させることにより、本発明の実施の形態に係る分散型電源用転送遮断システム１が実現されるものとする。なお、プログラムをインターネット等のネットワーク経由でコンピュータに提供してもよいし、プログラムが書き込まれた半導体チップ等をコンピュータに組み込んでもよい。
【００３５】
以上説明した本発明の実施の形態によれば、子局５及び分散型電源６が需要家宅に新たに設置された場合に、施工業者又は需要家が、予め子局５に設定されている分散型電源番号及び氏名、住所等の需要家情報を電力会社に通知し、電力会社のオペレータがその分散型電源番号及び需要家情報を配電自動化システム２に入力することによって、分散型電源番号が分散型電源用転送遮断システム１に登録され、新設の分散型電源６が稼動開始するので、分散型電源の稼動開始に手間がかからず、顧客サービスの向上を図ることができる。また、電力会社における業務処理の効率化及びコストの低減を図ることができる。
【００３６】
≪その他の実施の形態≫
以上、本発明を実施するための最良の形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、上記実施の形態では、子局５は中継局４から分散型電源番号を受信するように記載したが、必ずしも中継局４がなくてもよい。この場合、子局５は、親局３からのヘルスチェックのデータに載った分散型電源番号を受信することになる。
【図面の簡単な説明】
【００３７】
【図１】分散型電源用転送遮断システム１の構成を示す図である。
【図２】配電自動化システム２の構成を示す図である。
【図３】転送遮断信号伝送装置（親局）３の構成を示す図である。
【図４】転送遮断信号中継装置（中継局）４の構成を示す図である。
【図５】転送遮断装置（子局）５の構成を示す図である。
【図６】配電自動化システム２の記憶部２５に記憶されるデータの構成を示す図である。
【図７】親局３の記憶部３５に記憶されるデータの構成を示す図である。
【図８】中継局４の記憶部４５に記憶されるデータの構成を示す図である。
【図９】子局５の記憶部５３に記憶されるデータの構成を示す図である。
【図１０】分散型電源６が新たに設置された場合の分散型電源用転送遮断システム１の処理を示すフローチャートである。
【図１１】分散型電源用転送遮断システム１が適用される配電系統の構成例を示す図である。
【符号の説明】
【００３８】
１    分散型電源用転送遮断システム
２    配電自動化システム
３    転送遮断信号伝送装置（親局）
４    転送遮断信号中継装置（中継局）
５    転送遮断装置（子局）
６    分散型電源
７    ＩＰ網
２５５、３５５、４５４、５３１  分散型電源番号
【要約】
【課題】分散型電源用転送遮断システムに新設された分散型電源の番号を容易に設定する。
【解決手段】分散型電源用転送遮断システム１では、予め分散型電源番号が設定された転送遮断装置（子局）５と分散型電源６が新たに設置された場合に、当該分散型電源番号が、配電自動化システム２から転送遮断信号伝送装置（親局）３及び転送遮断信号中継装置（中継局）４を経由して、転送遮断装置（子局）５に転送される。そして、転送遮断装置（子局）５は、転送を受けた分散型電源番号と、予め設定された分散型電源番号とを比較し、両者が一致していれば、通信動作を開始する。
【選択図】図１【図１】
0004231893.tif 000002
【図２】
0004231893.tif 000003
【図３】
0004231893.tif 000004
【図４】
0004231893.tif 000005
【図５】
0004231893.tif 000006
【図６】
0004231893.tif 000007
【図７】
0004231893.tif 000008
【図８】
0004231893.tif 000009
【図９】
0004231893.tif 000010
【図１０】
0004231893.tif 000011
【図１１】
0004231893.tif 000012